(57)【要約】      （修正有）【課題】トイレットペーパーの残存数が一目瞭然で、これを整然と取り出し易く、防水対策が十分に施されたトイレットペーパー収納具を提供する。【解決手段】本トイレットペーパー収納具は、トイレットペーパーを中空ロールが水平となるように鉛直方向に複数個収納可能であり、背面と透明板の上部正面３４、底面と開閉可能な上部蓋面３８、該上部正面と該底面間に略Ｕ字型の切れ込みを有する左右側面、より構成され、該上部正面と該底面と該Ｕ字型の切れ込みとが取り出し口を形成する略直方体形状の収納箱３と、左右壁と背面壁と正面壁の４つの周壁を有し、周壁の下端が前記収納箱の底面に、左右壁と背面壁が収納箱の左右側面と背面に各々当接し、正面壁と左右壁が取り出し口を遮蔽して収納箱の底部に収容され得る上下動式防水蓋５とを具備し、上下動式防水蓋は、収納箱の底面から上部蓋面方向へスライドして取り出し口を開閉可能である。【選択図】図１
0003176382.tif 000002
【実用新案登録請求の範囲】
【請求項１】
中空ロールを芯としてロール状に紙が巻かれたトイレットペーパーを、中空ロールが水平となるように鉛直方向に複数個収納可能なトイレットペーパー収納具であって、
背面と透明板からなる上部正面、底面と開閉可能な上部蓋面、該上部正面と該底面間に略Ｕ字型の切れ込みを有する左側面および右側面、より構成され、該上部正面と該底面と該Ｕ字型の切れ込みとがトイレットペーパー取り出し口を形成する略直方体形状の収納箱と、
左右壁と背面壁と正面壁の４つの周壁を有し、該周壁の下端が前記収納箱の底面に当接し、該左右壁と背面壁が該収納箱のそれぞれ左右側面と背面に当接し、該正面壁と該左右壁が前記トイレットペーパー取り出し口を遮蔽して、該収納箱の底部に収容され得る上下動式防水蓋と、
を具備し、
前記上下動式防水蓋は、前記収納箱の底面から上部蓋面方向へスライドして前記トイレットペーパー取り出し口を開閉可能な、
トイレットペーパー収納具。
【請求項２】
前記収納箱の対向する前記左側面と前記右側面において、
前記トイレットペーパー取り出し口を構成するＵ字型の切れ込みは、前記底面の上縁と該底面の上縁から前記トイレットペーパーの断面円直径より高い位置に存する前記上部正面の下縁とを各々下端と上端として、該下端と該上端から前記背面方向に切れ込み、
該トイレットペーパーを収納時に、
前記上下動式防水蓋の前記周壁の下端が前記上部正面の下縁までスライドされて前記トイレットペーパー取り出し口が開口状態である時、
該前記トイレットペーパー取り出し口は該トイレットペーパーの中空ロールが外部に開放状態となるような前記Ｕ字型の切れ込みを有する、請求項１に記載のトイレットペーパー収納具。
【請求項３】
前記左右側面と、開いた状態で直角に、閉じた状態で平行になる開閉自在な収納板を、該左右側面の所定の位置に取り付けた請求項１または２に記載のトイレットペーパー収納具。
【請求項４】
前記収納箱の上部蓋面及び／又は前記上下動式防水蓋の正面壁に、取っ手を設けた請求項１乃至３のいずれか１項に記載のトイレットペーパー収納具。
【請求項５】
前記上下動式防水蓋の周壁は、少なくとも左右壁と正面壁が透明板より構成される、請求項１乃至４のいずれか１項に記載のトイレットペーパー収納具。
【考案の詳細な説明】
【技術分野】
【０００１】
本考案は、トイレットペーパーの残存数が一目瞭然で、これを整然と取り出しやすく収納可能なトイレットペーパー収納具に関する。
【背景技術】
【０００２】
近年、コンビニエンス・ストアや各種量販店、病院、公共施設等のトイレ事情は著しく改善され、所用のため訪れた大抵の場所でトイレを利用することができるようになった。また、トイレはより清潔的に、より広々と設計されるようになり、一種の休息場としても活用されるようになっている。
【０００３】
このようにトイレはゆとり空間としての機能を持つに至っているが、ストック用のトイレットペーパーは依然としてトイレ空間の片隅や棚の上にそのまま重ねられて置かれているのが現状である。そのためトイレでは常用する水に対して無防備であり、トイレ空間の美観を損ねるという問題があった。
【０００４】
こうした問題に対処すべく、トイレットペーパーを保管するための容器についていくつかの便利で簡易な考案が提案されている。
【０００５】
特許文献１では、「上面にロール状のトイレットペーパー投入口を有し、内部にトイレットペーパーを横臥状態で上下方向に数個積載収容し得る容積を有する箱形の収納容器と、該収納容器上面におけるトイレットペーパー投入口を閉塞する蓋板と、前記収納容器の下側部前面壁と両側壁の一部とに亘って設けられた開口部よりなるトイレットペーパー取り出し口と、前記収納容器の底面壁の中央部より前面壁の開口部がわ適宜長さの位置より上方に向かって突出形成され上端部が最下段のトイレットペーパーの下側周面の一部に当接する高さを有するトイレットペーパーの転出防止用ストッパーとからなることを特徴とするトイレットペーパーストッカー」が開示されている。
【０００６】
しかし、少なくとも最下段のトイレットペーパーは水に対して無防備であり、上記トイレットペーパーストッカーの材質自体防水性か否か不明であり、また、トイレットペーパーが残りいくつストックされているのか確認不能である。
【０００７】
特許文献２にも、上記特許文献１と略同様なトイレットペーパーの収納箱が開示されているが、この収納箱も上記特許文献１の考案と同様な不便さを有している。
【０００８】
また、特許文献３の考案は、販売時にトイレットペーパーが収容された箱そのままをトイレの壁に掛けて必要な時、簡単に取り出せるストックできる容器としても使え、ロール(トイレットペーパー)の補充もできる箱入りトイレットペーパーに関するものである。この箱入りトイレットペーパーの考案は、箱の下部に最下段のトイレットペーパーの取出し蓋が設けられており、蓋をした状態で内部のトイレットペーパーを水濡れから防御することができる。
【０００９】
ただ、上記箱はトイレットペーパーを収容した状態で箱ごと店頭で販売されるため箱は低コストの厚紙であり、そのため防水対策は万全とはし難く、箱内部のトイレットペーパーを確認するための在庫確認窓を設けてはいるものの使用者に安心感を与えるには不十分である。
【００１０】
【特許文献１】実開昭５８−１１１０９２号公報
【特許文献２】実開昭６３−１６９９９３号公報
【特許文献３】実開平０７−２２９３９号公報
【考案の概要】
【考案が解決しようとする課題】
【００１１】
そこで本考案は、トイレットペーパーの残存数が一目瞭然で、これを整然と取り出しやすく、収容したトイレットペーパーの防水対策が十分に施されたトイレットペーパー収納具を提供することを目的とする。
【課題を解決するための手段】
【００１２】
本考案に係るトイレットペーパー収納具は、中空ロールを芯としてロール状に紙が巻かれたトイレットペーパーを、中空ロールが水平となるように鉛直方向に複数個収納可能なトイレットペーパー収納具であって、背面と透明板からなる上部正面、底面と開閉可能な上部蓋面、該上部正面と該底面間に略Ｕ字型の切れ込みを有する左側面および右側面、より構成され、該上部正面と該底面と該Ｕ字型の切れ込みとがトイレットペーパー取り出し口を形成する略直方体形状の収納箱と、左右壁と背面壁と正面壁の４つの周壁を有し、該周壁の下端が前記収納箱の底面に当接し、該左右壁と背面壁が該収納箱のそれぞれ左右側面と背面に当接し、該正面壁と該左右壁が前記トイレットペーパー取り出し口を遮蔽して、該収納箱の底部に収容され得る上下動式防水蓋と、を具備し、前記上下動式防水蓋は、前記収納箱の底面から上部蓋面方向へスライドして前記トイレットペーパー取り出し口を開閉可能である。
【００１３】
本考案に係るトイレットペーパー収納具は、前記収納箱の対向する前記左側面と前記右側面において、前記トイレットペーパー取り出し口を構成するＵ字型の切れ込みは、前記底面の上縁と該底面の上縁から前記トイレットペーパーの断面円直径より高い位置に存する前記上部正面の下縁とを各々下端と上端として、前記正面から前記背面方向に切れ込み、該トイレットペーパーを収納時に、前記上下動式防水蓋の前記周壁の下端が、前記上部正面の下縁までスライドされて前記トイレットペーパー取り出し口が開口状態である時、該前記トイレットペーパー取り出し口は該トイレットペーパーの中空ロールが外部に開放状態となるような前記Ｕ字型の切れ込みを有し得る。
【００１４】
本考案に係るトイレットペーパー収納具は、前記左右側面と、開いた状態で直角に、閉じた状態で平行になる開閉自在な収納板を、該左右側面の所定の位置に取り付けてもよい。
【００１５】
本考案に係るトイレットペーパー収納具は、前記収納箱の上部蓋面及び／又は前記上下動式防水蓋の正面壁に、取っ手を設けてもよい。
【００１６】
本考案に係るトイレットペーパー収納具は、前記上下動式防水蓋の周壁は、少なくとも左右壁と正面壁が透明板より構成され得る。
【考案の効果】
【００１７】
本考案に係るトイレットペーパー収納具は、上部正面と上下動式防水蓋を透明としたので、外部からトイレットペーパー収納具内にいくつトイレットペーパーが残存しているかが一目瞭然である。トイレットペーパーの残存数が少なければ上部蓋面を開閉してトイレットペーパーを補充でき、トイレットペーパーを取り出すときは上下動式防水蓋を上下にスライドさせて容易にトイレットペーパーを取り出すことができる。トイレットペーパーを取り出せば、トイレットペーパー収納具内に収納されていた上方のトイレットペーパーが自然に落ちてトイレットペーパー収納具最下部に位置することとなる。
【００１８】
左右側面にそれぞれ収納板を開閉可能に取り付けたので、例えば便座に座ってちょっと小物を置いておきたい場合などに便利に利用できる。使用しない場合は閉じた状態に片づけておけばよい。
【００１９】
本考案に係るトイレットペーパー収納具は、透明板を用いた上部正面と上下動式防水蓋を含めて防水材料を使用するので、内部に収納したトイレットペーパーを水から遮断することが可能である。また、外形の意匠を工夫して、トイレ空間に清潔感や整然とした印象を与えることができる。
【図面の簡単な説明】
【００２０】
【図１】本考案に係るトイレットペーパー収納具の斜視図。
【図２】本考案に係るトイレットペーパー収納具の正面図。
【図３】（ａ）本考案に係る収納箱の正面図、（ｂ）本考案に係る上下動式防水蓋の斜視図、（ｃ）本考案に係る収納箱の底面の正面図。
【図４】本考案に係る収納箱のトイレットペーパー取り出し口の斜視図。
【図５】トイレットペーパーの斜視図。
【考案を実施するための形態】
【００２１】
以下、図面を参照しながら本考案に係るトイレットペーパー収納具の実施形態について説明する。なお、以下各図面を通して同一の構成要素には同一の符号を使用するものとする。
【００２２】
図１を参照して、本考案に係るトイレットペーパー収納具１は、図５に示す中空ロール１１２を芯としてロール状に紙が巻かれたトイレットペーパー１１０を、中空ロール１１２が水平となるように鉛直方向に複数個収納可能なトイレットペーパー収納具１である。
【００２３】
トイレットペーパー収納具１は、図３（ａ）、（ｃ）に示す略直方体形状の収納箱３と、図３（ｂ）に示す中空の上下動式防水蓋５より構成される。
【００２４】
図１、２等に示すように、収納箱３は、背面３２と透明板からなる上部正面３４、底面３６と開閉可能な上部蓋面３８、上部正面３４と底面３６間に略Ｕ字型の切れ込み４５、４７を有する左側面４０および右側面４２、より構成され、図４のように、上部正面３４と底面３６とＵ字型の切れ込み４５、４７とがトイレットペーパー取り出し口５０（以下、単に「取り出し口５０」ともいう）を形成する略直方体形状の収納箱３である。
【００２５】
また、図３（ｂ）に示すように、上下動式防水蓋５は、左右壁５２、５４と背面壁５６と正面壁５８の４つの周壁５１を有し、周壁５１の下端が収納箱３の底面３６に当接し、左右壁５２、５４と背面壁５６が収納箱３のそれぞれ左右側面４０、４２と背面３２に当接し、正面壁５８と左右壁５２、５４が取り出し口５０を遮蔽して、収納箱３の底部に収容され得る上下動式防水蓋５である。
【００２６】
トイレットペーパー収納具１において、上下動式防水蓋５は、収納箱３の底面３６から上部蓋面３８方向へスライドして取り出し口５０を開閉することが可能である。したがって、トイレットペーパー１１０をトイレットペーパー収納具１から取り出したい使用者は、上下動式防水蓋５を上方にスライドさせることによって取り出し口５０を介してトイレットペーパー１１０を容易に取り出すことができる。なお、上下動式防水蓋５の周壁５１は、トイレットペーパー収納具１内のトイレットペーパー１１０の状態を監視しやすいように、少なくとも左右壁５２、５４と正面壁５８が透明板より構成されるのが好ましい。
【００２７】
また、収納箱３の対向する左側面４０と右側面４２において、取り出し口５０を構成するＵ字型の切れ込み４５、４７は、底面３６の上縁と当該底面３６の上縁からトイレットペーパー１１０の断面円直径より高い位置に存する上部正面３４の下縁とを各々下端と上端として、当該下端と上端から背面３２方向に切れ込むようにする。更に、トイレットペーパー１１０を収納時に、上下動式防水蓋５の周壁５１の下端が上部正面３４の下縁までスライドされて取り出し口５０が開口状態である時、取り出し口５０はトイレットペーパー１１０の中空ロール１１２が外部に開放状態となるような前記Ｕ字型の切れ込み４５、４７を有するのが好ましい。トイレットペーパー１１０を取り出す際、使用者が中空ロール１１２に指を入れることができれば、トイレットペーパー１１０の取り出しが容易になるためである。
【００２８】
収納箱３において、上部蓋面３４は背面３２の上部に、例えば蝶番などで上下に開閉自在に固定する。収納箱３の上部蓋面３４に取っ手３９を設けるのが便利である。トイレットペーパー収納具１にトイレットペーパー１１０を補充する際は、取っ手３９を引き上げて上部蓋面３４を開き、補充後は同様に取っ手３９を用いて上部蓋面３４を閉鎖する。上部蓋面３４は、あるいは前後にスライドするようにしてもよい。
【００２９】
上部正面３４は、上部正面３４の下縁が底面３６の上縁とＵ字型の切れ込み４５、４７とで取り出し口５０を形成し、上部蓋面３４を閉鎖すれば水が浸入しないように構成される。使用者がトイレットペーパー１１０の残余を一見できるように、透明の材料で形成するのが好ましい。
【００３０】
背面３２は、壁掛け手段を設けるのが好ましい。この壁掛け手段は、壁のホックに掛けるための上部蓋面３４の更に上部に設けた穴でもよいし、強力な磁石を背面３２に埋め込むことであってもよく、壁に固定できる手段であれば特に限定されない。
【００３１】
本考案に係るトイレットペーパー収納具１は、左右側面４０、４２と、開いた状態で直角に、閉じた状態で平行になる開閉自在な収納板４１、４３を、左右側面４０、４２の所定の位置にそれぞれ取り付けてもよい。トイレの便座に座って、収納板４１、４３上にメガネ、ハンカチなどの小物や花を添えたミニポット等を置いてもよいし、使用しない場合は閉じた状態にすることもできる。開閉自在な収納板４１、４３は、それぞれ左右側面４０、４２の適当な位置に蝶番等で固定され、両面テープ等で閉じた状態にしてもよい。
【００３２】
透明板からなる上部正面３４を除いて、背面３２、底面３６、上部蓋面３８、左側面４０および右側面４２等の収納箱３の材料は、防水性の材料であれば特に限定されない。木、金属、プラスチックなどが用いられ得る。
【００３３】
また、上下動式防水蓋５を構成する周壁５１は、上記のように透明板より構成されるのが好ましい。同じく透明な収納箱３の上部正面３４と同様の材料を使用してもよい。例えば透明アクリル板や透明プラスチック板等である。上下動式防水蓋５の正面壁５８に、取っ手６０を設けるのが便利である。
【００３４】
次に、トイレットペーパー収納具１の動作について説明する。
【００３５】
上述のように構成されるトイレットペーパー収納具１は、通常の状態で壁に壁掛け手段により設置され、上下動式防水蓋５が閉まった状態で取り出し口５０を遮蔽して、収納箱３の底部に収容されている。トイレットペーパー１１０を収納したい使用者は取っ手３９を引き上げて上部蓋面３４を開き、トイレットペーパー１１０を中空ロール１１２が水平となるように鉛直方向に収納する。収納後は同様に取っ手３９を用いて上部蓋面３４を閉鎖する。
【００３６】
トイレットペーパー１１０を取出したい使用者は、取っ手６０を使って上下動式防水蓋５を収納箱３の底面３６から上部蓋面３８方向へスライドさせる。使用者は、取り出し口５０を十分に開口させ、トイレットペーパー１１０の中空ロール１１２に指を引っ掛けて、これを容易に取り出し口５０から取り出すことができる。
【００３７】
上下動式防水蓋５の周壁５１と上部正面３４は透明であるので、外部からトイレットペーパー収納具１内にいくつトイレットペーパー１１０が残存しているかが分かる。トイレットペーパー１１０をトイレットペーパー収納具１内に補充するのであれば、上記説明のように補充する。
【００３８】
以上、本考案に係るトイレットペーパー収納具１の実施形態について説明したが、本考案は上記実施形態に限定されるものではない。左右側面４０、４２にそれぞれ設ける収納板４１、４３の数、位置は任意で、設置しなくてもよい。トイレットペーパー収納具１を形成する材料も上記例に限定されるものではない。
【００３９】
その他、本考案は、その主旨を逸脱しない範囲で当業者の知識に基づき種々の改良、修正、変更を加えた態様で実施できるものである。
【産業上の利用可能性】
【００４０】
本考案に係るトイレットペーパー収納具は、トイレットペーパーを使用し得るトイレ、便所に、和風・洋風を問わずに利用することが出来る。
【符号の説明】
【００４１】
１：トイレットペーパー収納具
３：収納箱
５：上下動式防水蓋
３２：背面
３４：上部正面
３６：底面
３８：上部蓋面
３９：取っ手
４０：左側面
４１、４３：収納板
４２：右側面
４５、４７：Ｕ字型の切れ込み
５０：トイレットペーパー取り出し口
５１：周壁
５２：左壁
５４：右壁
５６：背面壁
５８：正面壁
６０：取っ手
１１０：トイレットペーパー
１１２：中空ロール
【図１】
0003176382.tif 000003
【図２】
0003176382.tif 000004
【図３】
0003176382.tif 000005
【図４】
0003176382.tif 000006
【図５】
0003176382.tif 000007